(57)【要約】      （修正有）【課題】電源としての電池を簡単に取り替えられる保温靴を提供する。【解決手段】靴体１内に加熱手段を備えた保温靴において、前記加熱手段の電源としての電池６及び前記加熱手段と前記電源との間の電気的接続をオン／オフさせるためのスイッチ３を、靴体１のアッパー１２の内表面または外表面に取り付けて、保温靴を形成する。【選択図】図１
0003174398.tif 000002
【実用新案登録請求の範囲】
【請求項１】
靴体内に加熱手段を備えた保温靴において、
前記加熱手段の電源としての電池及び前記加熱手段と前記電源との間の電気的接続をオン／オフさせるためのスイッチが、靴体のアッパーの内表面または外表面に取り付けられていることを特徴とする保温靴。
【請求項２】
ソール及びアッパーを有する靴体と、
前記靴体内に設けられている加熱手段付き中敷きと、
からなっている保温靴において、
前記靴体におけるアッパーの外表面に操作パネルが取り付けられており、該操作パネルには、前記加熱手段付き中敷きの電源としての電池を収容するための電池取付ユニットと、前記加熱手段付き中敷きと前記電池との間の配線をオン／オフさせるためのスイッチと、が設置されていることを特徴とする保温靴。
【請求項３】
前記操作パネルは、柔軟性のあるシート材からなっており、該シート材は、両端縁を有し、該両端縁における一端縁は、前記シート材が該一端縁を軸心として捲ることができ且つ前記アッパーの外表面の一部を覆うことができるように前記アッパーの外表面に固定されており、
また、前記電池取付ユニットと前記スイッチとは、前記シート材が、前記外表面の一部を覆う時に内面となる面に設置されており、
前記シート材の前記内面となる面においては前記一端縁を除く周縁に、前記アッパーの前記外表面においては前記周縁と対応する対応箇所に、それぞれ互いに連結することができる第１の連結手段と第２の連結手段とが設けられていることを特徴とする請求項２に記載の保温靴。
【請求項４】
ソール及びアッパーを有する靴体と、
前記靴体内に設けられている加熱手段付き中敷きと、
からなっている保温靴において、
前記靴体におけるアッパーの内表面に操作パネルが取り付けられており、該操作パネルに、前記加熱手段付き中敷きの電源としての電池を収容するための電池取付ユニットと、前記加熱手段付き中敷きと前記電池との間の配線をオン／オフさせるためのスイッチと、が設置されていることを特徴とする保温靴。 
【請求項５】
前記アッパーは、着用者の足が該保温靴を着脱する時に前記アッパーに進入及び退出するアッパー開口周辺の内表面に、前記操作パネルを収容できる窪みが形成されており、
前記操作パネルは、柔軟性のあるシート材からなっており、該シート材は、両端縁を有し、該両端縁における一端縁は、前記窪みの周縁に固定されており、前記操作パネルが前記窪み内に収容されることができるように配置構成されていることを特徴とする請求項４に記載の保温靴。
【請求項６】
前記アッパーは、着用者のくるぶしから先の部分の足を包むことができる下アッパー部と、該下アッパー部から上方へ延伸し、着用者のふくらはぎの一部または全部を包むことができる上アッパー部と、を有しており、前記アッパー開口は、前記上アッパー部の上端に形成されており、
前記シート材は、前記アッパーに固定されている一端縁を軸心として捲れるように且つ前記アッパーの内表面の一部を覆うことができるように取り付けられており、
また、前記電池取付ユニットと前記スイッチとは、前記シート材が、前記内表面の一部を覆う時に外面となる面に設置されており、
前記シート材の前記外面となる面においては前記一端縁を除く周縁に、前記アッパーの前記内表面においては前記周縁と対応する対応箇所に、それぞれ互いに連結することができる第１の連結手段と第２の連結手段とが設けられていることを特徴とする請求項４に記載の保温靴。
【請求項７】
前記第１の連結手段と第２の連結手段とは、面ファスナーから構成されていることを特徴とする請求項３または５に記載の保温靴。
【請求項８】
前記電池取付ユニットは、線ファスナー付き袋となっていることを特徴とする請求項２または４に記載の保温靴。
【請求項９】
前記スイッチは、押しボタンであることを特徴とする請求項２または４に記載の保温靴。
【考案の詳細な説明】
【技術分野】
【０００１】
本考案は、電池の取り付けや取り外しが簡単に行える保温靴に関し、特に、電源としての電池を簡単に取り替えられる保温靴に関する。
【背景技術】
【０００２】
冬や寒地、高山地域の酷寒を凌ぐため、オーバーコートやセーター、手袋、マフラーなどの衣服を着用して保温を図るのが一般的であるが、その他にも懐炉の携帯やヒーターの取り付けなどもよく用いられている。
【０００３】
登山用の靴を例として、その靴体内、特に中敷きや靴体におけるソールに、ヒーターや加熱回路などの加熱手段を備えた、いわゆる保温靴が既に市販されている。例えば、特許文献１に記載の靴は、加熱手段の電源としての電池が靴のソールに内蔵されている。しかし、該保温靴は充電式の電池を使用しており、例えば山登りの途中に、加熱手段の電源としての電池が寒冷環境によって故障などを生じると、必ず靴を脱いだ上で複雑な手順で電池を取り替えなければならない。これは、重い登山具を背負って一歩一歩前進している登山者にとって、正に大きな負担である。
【先行技術文献】
【特許文献】
【０００４】
【特許文献１】台湾実用新案登録第Ｍ３２７１８１号明細書
【考案の概要】
【考案が解決しようとする課題】
【０００５】
そこで、本考案は、電源としての電池を簡単に取り替えられ、手間を省くことができる保温靴の提供を目的とする。
【課題を解決するための手段】
【０００６】
本考案は、靴体内に加熱手段を備えた保温靴において、前記加熱手段の電源としての電池及び前記加熱手段と前記電源との間の電気的接続をオン／オフさせるためのスイッチが、靴体のアッパーの内表面または外表面に取り付けられていることを特徴とする保温靴を提供する。
【０００７】
前記保温靴の一つの実施形態として、ソール及びアッパーを有する靴体と、前記靴体内における前記ソールの上面に設けられている加熱手段付き中敷きと、からなっている保温靴において、前記靴体におけるアッパーの外表面には操作パネルが取り付けられており、該操作パネルには、前記加熱手段付き中敷きの電源としての電池を収容するための電池取付ユニットと、前記加熱手段付き中敷きと前記電池との間の電気的接続をオン／オフさせるためのスイッチと、が設置されている保温靴が挙げられる。
【０００８】
なお、前記操作パネルは、柔軟性のあるシート材からなっており、該シート材は、両端縁を有し、該両端縁における一端縁は、前記シート材が該一端縁を軸心として捲ることができ且つ前記アッパーの外表面の一部を覆うことができるように前記アッパーの外表面に固定されており、また、前記電池取付ユニットと前記スイッチとは、前記シート材の、前記外表面の一部を覆う時に内面となる面に設置されており、前記シート材の前記内面となる面においては前記一端縁を除く周縁に、前記アッパーの前記外表面においては前記周縁と対応する対応箇所に、それぞれ互いに連結することができる第１の連結手段と第２の連結手段とが設けられていることが好ましい。
【０００９】
前記保温靴のもう一つの実施形態として、ソール及びアッパーを有する靴体と、前記靴体内に設けられている加熱手段付き中敷きと、からなっている保温靴において、前記靴体におけるアッパーの内表面には操作パネルが取り付けられており、該操作パネルには、前記加熱手段付き中敷きの電源としての電池を収容するための電池取付ユニットと、前記加熱手段付き中敷きと前記電池との間の電気的接続をオン／オフさせるためのスイッチと、が設置されている保温靴が挙げられる。
【００１０】
なお、前記アッパーは、着用者の足が該保温靴を着脱する時に前記アッパーに進入及び退出するアッパー開口周辺の内表面に、前記操作パネルを収容できる窪みが形成されており、前記操作パネルは、柔軟性のあるシート材からなっており、該シート材は、両端縁を有し、該両端縁における一端縁は、前記窪みの周縁に固定されていると共に、前記窪み内に収容されることができるように配置構成されていることが好ましい。
【００１１】
また、前記アッパーは、着用者のくるぶしから先の部分の足を包むことができる下アッパー部と、該下アッパー部から上方へ延伸し、着用者のふくらはぎの一部または全部を包むことができる上アッパー部と、を有しており、前記アッパー開口は、前記上アッパー部の上端に形成されており、前記シート材は、前記アッパーに固定されている一端縁を軸心として捲ることができ且つ前記アッパーの内表面の一部を覆うことができるように取り付けられており、また、前記電池取付ユニットと前記スイッチとは、前記シート材の、前記内表面の一部を覆う時に外面となる面に設置されており、前記シート材の前記外面となる面においては前記一端縁を除く周縁に、前記アッパーの前記内表面においては該周縁と対応する対応箇所に、それぞれ互いに連結することができる第１の連結手段と第２の連結手段とが設けられていることが好ましい。
【００１２】
前記第１の連結手段と第２の連結手段とは、面ファスナーから構成されていることが好ましい。
【００１３】
前記電池取付ユニットは、線ファスナー付き袋となっていることが好ましい。
【００１４】
前記スイッチは、押しボタンであって、前記シート材に、該シート材の、前記内面となる面の反対面から押されて作動することができるように取り付けられることが好ましい。
【００１５】
また、押しボタンである前記スイッチは、前記シート材に、該シート材の、前記外面となる面から押されて作動することができるように取り付けられることも好ましい。
【考案の効果】
【００１６】
上記構成による本考案の保温靴は、その加熱手段の電源としての電池が、靴体のアッパーの内表面や外表面など、手が届きやすい箇所に取り付けられたパネルに取り付けられているため、電池の取り替えが非常に簡単であるので、重い登山具を背負っている登山者だけでなく、一般のユーザーにも便利な防寒具として利用することができる。
【図面の簡単な説明】
【００１７】
【図１】図１は、本考案の第１の実施形態に係る保温靴の分解状態を示す斜視図である。
【図２】図２は、本考案の第１の実施形態に係る保温靴の組立状態を示す説明図である。
【図３】図３は、本考案の第１の実施形態に係る保温靴の使用状態を示す一側の斜視図である。
【図４】図４は、本考案の第１の実施形態に係る保温靴の使用状態を示す他側の斜視図である。
【図５】図５は、本考案の第２の実施形態に係る保温靴の分解状態を示す斜視図である。
【図６】図６は、本考案の第２の実施形態に係る保温靴の非使用状態を示す平面図である。
【図７】図７は、本考案の第２の実施形態に係る保温靴の使用状態を示す平面図である。
【考案を実施するための形態】
【００１８】
以下に、本考案の詳細について説明する。図１〜図４に示す保温靴は第１の実施形態として、図５〜図7に示す保温靴は第２の実施形態として挙げられるものであるが、本考案はこれらの実施例に限定されるものではない。
【００１９】
（第１の実施形態）
図１〜図４は、本考案の第１の実施形態を示す図である。この第１の実施形態の保温靴は、図示、特に図１に示されているように、ソール１１及びアッパー１２を有する靴体１と、靴体１内におけるソール１１の上面に設けられている加熱手段付き中敷き５と、を備えている。靴体１におけるアッパー１２の外表面１２１には操作パネル２が取り付けられており、該操作パネル２には、加熱手段付き中敷き５の電源としての電池６と、電池６を収容するための電池取付ユニット２１と、加熱手段付き中敷き５と電池６との間の配線４と、配線４をオン／オフさせるためのスイッチ３と、が設置されている。
【００２０】
操作パネル２は、柔軟性のあるシート材２６からなっており、該シート材２６は、両端縁を有し、該両端縁における一端縁２３は、前記シート材２６が該一端縁２３を軸心として捲ることができ且つアッパー１２の外表面１２１の一部を覆うことができるようにアッパー１２の外表面１２１に固定されている。
【００２１】
また、電池取付ユニット２１とスイッチ３とは、該シート材２６の外表面１２１を覆う時に内面となる面２０１に設置されており、該シート材２６の内面となる面２０１においては一端縁２３を除く周縁２４には、アッパー１２の外表面１２１においては周縁２４と対応する対応箇所ａに、それぞれ互いに連結することができる第１の連結手段２２１と第２の連結手段２２２とが設置されている。
【００２２】
第１の連結手段２２１及び第２の連結手段２２２として、面で着脱できる面ファスナーを用いており、本実施形態では第１の連結手段２２１をフック状に起毛された側として、第２の連結手段２２２をループ状に密集して起毛された側として構成し、対称に押し付けられるとそれだけで互いに貼り付くことができるので、これによりシート材２６はアッパー１２に固定されながらも着脱自在に捲れるようになっている。なお、第１の連結手段２２１と第２の連結手段２２２との構成は反対にしてもよく、つまり第１の連結手段２２１をループ状に密集して起毛された側として、第２の連結手段２２２をフック状に起毛された側として構成しても構わない。
【００２３】
第１の実施形態における電池取付ユニット２１は、開口２１２を有し、且つ開口２１２に線ファスナー２１１が取り付けられている、線ファスナー付き袋となっている。線ファスナー２１１の開閉により、開口２１２から電池６の取り替えを行うことができる。
【００２４】
第１の実施形態におけるスイッチ３は、操作パネル２としてのシート材２６の面２０１に取り付けられる押しボタンであり、面２０１の反対面２０２（図４参照）から押されて作動することができるように構成されている。ユーザーが、反対面２０２の方からシート材２６越しにスイッチ３としての押しボタンの作動部を押すと、電池６からの電力は、配線４を通じて加熱手段付き中敷き５に提供され、加熱手段による加熱を行うことができる。
【００２５】
なお、スイッチ３、加熱手段付き中敷き５、電池６、及び配線４の連結、並びに、加熱手段付き中敷き５の詳細構造については、当業者にとって自明な事項に属するので、ここでは詳しい説明を省略する。
【００２６】
このように、本考案の第１の実施形態によれば、操作パネル２が靴体１におけるアッパー１２の外表面１２１に取り付けられているので、線ファスナー２１１の開閉により、靴を脱がずに開口２１２から電力を供給する電源手段としての電池６を簡単に取り替えられる。
【００２７】
（第２の実施形態）
続いて、本考案の第２の実施形態を説明する。第１の実施形態における保温靴の構成とは、ほとんど同一なので、同一の部材についての説明を省略し、ここでは相違点のみ説明する。
【００２８】
図５〜図７は、本考案の第２の実施形態を示す図である。本考案における保温靴は、図示、特に図５に示されているように、ソール１１及びアッパー１２を有する靴体１と、前記靴体１内に設けられている加熱手段付き中敷き５と、を備えている。靴体１におけるアッパー１２の内表面１２２には操作パネル２が取り付けられており、該操作パネル２には、加熱手段付き中敷き５の電源としての電池６と、電池６を収容するための電池取付ユニット２１と、加熱手段付き中敷き５と電池６との間の配線４と、配線４をオン／オフさせるためのスイッチ３と、が設置されている。
【００２９】
アッパー１２は、着用者が該保温靴を着脱する時、足が進入及び退出する口となるアッパー１２の開口の内表面１２２に、操作パネル２を収容できる窪み１２３が形成されており、操作パネル２は、柔軟性のあるシート材２６からなっており、該シート材２６は、両端縁を有し、該両端縁における一端縁２３は、窪み１２３の周縁に固定されていると共に、窪み１２３内に収容されることができるように配置構成されている。
【００３０】
更に、この実施形態におけるアッパー１２は、着用者のくるぶしから先の部分の足を包むことができる下アッパー部１２ａと、該下アッパー部１２ａから上方へ延伸し、着用者のふくらはぎの一部または全部を包むことができる上アッパー部１２ｂと、を有している。
【００３１】
この実施形態におけるシート材２６は、アッパー１２に固定されている一端縁２３を軸心として捲れるように且つアッパー１２の内表面１２２の一部を覆うことができるように取り付けられている。また、電池取付ユニット２１とスイッチ３とは、シート材２６の内表面１２２を覆う時に外面となる面２０３に設置されている。更に、面２０３においては前記一端縁２３を除く周縁２４には、アッパー１２の内表面１２２においては該周縁２４と対応する対応箇所ｂに、それぞれ互いに連結することができる第１の連結手段２２１と第２の連結手段２２２とが設置されている。
【００３２】
また、第２の実施形態におけるスイッチ３も、シート材２６に取り付けられる押しボタンであり、前記外面となる面２０３から押されて作動することができるように構成されている。
【００３３】
本考案の第２の実施形態によれば、操作パネル２が靴体１におけるアッパー１２の内表面１２２に取り付けられているため、着用者の体温で、電池６の周辺の温度を比較的高く保持することができるので、寒冷環境による電池６の不具合が避けられ、電池６からの安定した電力提供を確保することができる。また、この第２の実施形態も第１の実施形態と同様に、線ファスナー２１１の開閉により、靴を脱がずに開口２１２から電力を供給する電源手段としての電池６を簡単に取り替えることができる。
【産業上の利用可能性】
【００３４】
以上のように、本考案による保温靴は、電池を取り替える際の手間を省くことができる保温靴として有用であり、即ち加熱手段をオン／オフさせることが簡単であるだけではなく、靴を脱がずに電源としての電池を簡単に取り替えられ、また、ユーザーの体温を利用して電池からの電力提供を安定させられるので、重い登山具を背負っている登山者に更なる負担をかける虞れがないだけでなく、一般のユーザーにも便利な防寒具として利用することができる。
【符号の説明】
【００３５】
１      靴体
１１    ソール
１２    アッパー
１２ａ  下アッパー部
１２ｂ  上アッパー部
１２１  外表面
１２２  内表面
１２３  窪み
２      操作パネル
２０１  面
２０２  反対面
２０３  面
２１    電池取付ユニット
２１１  線ファスナー
２１２  開口
２２１  第１の連結手段
２２２  第２の連結手段
２３    一端縁
２４    周縁
２６    シート材
３      スイッチ
４      配線
５      加熱手段付き中敷き
６      電池
ａ      対応箇所
ｂ      対応箇所
【図１】
0003174398.tif 000003
【図２】
0003174398.tif 000004
【図３】
0003174398.tif 000005
【図４】
0003174398.tif 000006
【図５】
0003174398.tif 000007
【図６】
0003174398.tif 000008
【図７】
0003174398.tif 000009
【手続補正書】
【提出日】平成24年1月17日(2012.1.17)
【手続補正１】
【補正対象書類名】実用新案登録請求の範囲
【補正対象項目名】全文
【補正方法】変更
【補正の内容】
【実用新案登録請求の範囲】
【請求項１】
靴体内に加熱手段を備えた保温靴において、
前記加熱手段の電源としての電池及び前記加熱手段と前記電源との間の電気的接続をオン／オフさせるためのスイッチが、靴体のアッパーの内表面または外表面に取り付けられていることを特徴とする保温靴。
【請求項２】
ソール及びアッパーを有する靴体と、
前記靴体内に設けられている加熱手段付き中敷きと、
からなっている保温靴において、
前記靴体におけるアッパーの外表面に操作パネルが取り付けられており、該操作パネルには、前記加熱手段付き中敷きの電源としての電池を収容するための電池取付ユニットと、前記加熱手段付き中敷きと前記電池との間の配線をオン／オフさせるためのスイッチと、が設置されていることを特徴とする保温靴。
【請求項３】
前記操作パネルは、柔軟性のあるシート材からなっており、該シート材は、両端縁を有し、該両端縁における一端縁は、前記シート材が該一端縁を軸心として捲ることができ且つ前記アッパーの外表面の一部を覆うことができるように前記アッパーの外表面に固定されており、
また、前記電池取付ユニットと前記スイッチとは、前記シート材が、前記外表面の一部を覆う時に内面となる面に設置されており、
前記シート材の前記内面となる面においては前記一端縁を除く周縁に、前記アッパーの前記外表面においては前記周縁と対応する対応箇所に、それぞれ互いに連結することができる第１の連結手段と第２の連結手段とが設けられていることを特徴とする請求項２に記載の保温靴。
【請求項４】
ソール及びアッパーを有する靴体と、
前記靴体内に設けられている加熱手段付き中敷きと、
からなっている保温靴において、
前記靴体におけるアッパーの内表面に操作パネルが取り付けられており、該操作パネルに、前記加熱手段付き中敷きの電源としての電池を収容するための電池取付ユニットと、前記加熱手段付き中敷きと前記電池との間の配線をオン／オフさせるためのスイッチと、が設置されていることを特徴とする保温靴。 
【請求項５】
前記アッパーは、着用者の足が該保温靴を着脱する時に前記アッパーに進入及び退出するアッパー開口周辺の内表面に、前記操作パネルを収容できる窪みが形成されており、
前記操作パネルは、柔軟性のあるシート材からなっており、該シート材は、両端縁を有し、該両端縁における一端縁は、前記窪みの周縁に固定されており、前記操作パネルが前記窪み内に収容されることができるように配置構成されていることを特徴とする請求項４に記載の保温靴。
【請求項６】
前記アッパーは、着用者のくるぶしから先の部分の足を包むことができる下アッパー部と、該下アッパー部から上方へ延伸し、着用者のふくらはぎの一部または全部を包むことができる上アッパー部と、を有しており、前記アッパー開口は、前記上アッパー部の上端に形成されており、
前記シート材は、前記アッパーに固定されている一端縁を軸心として捲れるように且つ前記アッパーの内表面の一部を覆うことができるように取り付けられており、
また、前記電池取付ユニットと前記スイッチとは、前記シート材が、前記内表面の一部を覆う時に外面となる面に設置されており、
前記シート材の前記外面となる面においては前記一端縁を除く周縁に、前記アッパーの前記内表面においては前記周縁と対応する対応箇所に、それぞれ互いに連結することができる第１の連結手段と第２の連結手段とが設けられていることを特徴とする請求項５に記載の保温靴。
【請求項７】
前記第１の連結手段と第２の連結手段とは、面ファスナーから構成されていることを特徴とする請求項３または６に記載の保温靴。
【請求項８】
前記電池取付ユニットは、線ファスナー付き袋となっていることを特徴とする請求項２または４に記載の保温靴。
【請求項９】
前記スイッチは、押しボタンであることを特徴とする請求項２または４に記載の保温靴。